(57)【要約】      （修正有）【課題】靴とのひっかかりがよく、また、特に靴のかかと部分に傷をつけることのない、靴脱ぎ装置で、壁のない場所においても、使用者の体勢を維持し、よろけることなく靴を脱ぐことができる靴脱ぎ装置を提供する。【解決手段】靴脱ぎ装置１０は、本体部２０と基部３０を有している。本体部２０は、略矩形状の板状を呈し、前記本体部２０における凹状の平面視Ｕ字状を呈する本体係合部において、皮革２１で被覆した係合部２２を有している。本体部２０は主に木製であり間伐材を使用することが好ましく特にヒノキ材が好ましい。係合部２２において、特に靴のかかと部分が当接する箇所すなわち、平面視Ｕ字状の底に相当する部分にギャザー２３を設けている。なお、ギャザーとは皮革２１を、引き寄せて皺あるいは襞が生じるようにしたものである。【選択図】図１
0003189167.tif 000002
【実用新案登録請求の範囲】
【請求項１】
本体部と基部を有する靴脱ぎ装置であって、基部によって本体部を傾斜させ、本体部の一方に靴と係合するＵ字状の係合部を有し、前記本体部の他方には靴置部を配置したことを特徴とする靴脱ぎ装置
【請求項２】
係合部は、本体係合部を皮革で被覆し、その間に緩衝部を配置し、前記皮革を複数の鋲で本体部に固定したことを特徴とする請求項１記載の靴脱ぎ装置。
【請求項３】
Ｕ字状の係合部に、ギャザーを設けることを特徴とする請求項１記載の靴脱ぎ装置。
【請求項４】
請求項１〜３いずれか１項記載の靴脱ぎ装置に支柱を取り付けたことを特徴とする支柱付靴脱ぎ装置。
【請求項５】
請求項１〜３いずれか１項記載の靴脱ぎ装置に２つの支柱を取り付けたことを特徴とする支柱付靴脱ぎ装置。
【考案の詳細な説明】
【技術分野】
【０００１】
本考案は、靴脱ぎ装置に関するものである。
【背景技術】
【０００２】
我が国においては特に入室する際に靴を脱ぐ。このとき紐のついた革靴であれば、一旦腰をおろしてその結ばれた靴ひもをほどいて靴を脱ぐという動作が行われる。また、いわゆるスポーツシューズであれば、ひもをほどいて靴を脱ぐほかに、靴のかかと部分を抑えつつ足を靴から脱するように靴を脱ぐという動作が行われている。
【０００３】
しかし、革靴を履いた場合において、いちいち腰をおろして 靴を脱ぐのは面倒であり結局スポーツシューズを脱ぐのと同様に、脱ごうとする一方靴のかかと部分を他方の靴で押えつつその一方の足を抜くように靴を脱ぐという動作を行うものである。このように靴を脱ぐと、その他方の靴で抑えたその一方の靴のかかと部分が傷んでしまう場合がある。
【０００４】
このような場合、例えば玄関の上がりかまちに、靴のかかとを引っ掛ける部材を配置し、そのかかと引っ掛ける部分に靴のかかとを引っ掛けて靴を脱ぐ装置が存在する。しかしこの装置は、たとえば玄関に設置した場合においてはその場所から移動することができなので、その設置をした玄関以外の場所で使用することができない。
【０００５】
一方で、特開２００８−１２６０５３号公報において、 靴を脱ぐために使用する装置が存在する。これは、持ち運び可能で使用場所をその設置をした玄関に限られることはない。しかしながら、踏みつけ部の端に、立ち上がり部を設け、その前面に引っ掛け部を設けるというもので、これを使用するときは、踏みつけ部を片方の足で踏みつけ、もう一方の足の靴のかかと部分を、引っ掛け部に引っ掛け、足を引き上げると靴が脱げると云うものである。
【０００６】
上記、靴脱ぎ装置は、引掛け部の形状が平坦であり靴のかかと形状に合わせていないため靴とのひっかかりが悪く、また、特に靴のかかと部分に傷がついてしまう場合があり、実用的でない。特に靴販売店において使用する場合に靴に傷がついてしまうのは致命的であり使用に耐えるものではない。また、このようなものを単体で置いた場合において、バランスが悪く、壁などに手をつかないと靴を脱ぐという動作を行いにくい場合がある。
【０００７】
【特許文献１】特開２００８−１２６０５３号
【考案の開示】
【考案が解決しようとする課題】
【０００８】
本考案は前記の問題に鑑みてなされたものであり、その課題は、靴とのひっかかりがよく、また、とくに靴のかかと部分に傷をつけることのない、靴脱ぎ装置を提供することである。また、壁のない場所においても、使用者の体勢を維持し、よろけることなく、靴を脱ぐことができる靴脱ぎ装置を提供することである。
【課題を解決するための手段】
【０００９】
前記の課題を解決するため、本考案は、本体部と基部を有する靴脱ぎ装置であって、基部によって本体部を傾斜させ、本体部の一方に靴と係合するＵ字状の係合部を有し、前記本体部の他方には靴置部を配置したことを特徴とする靴脱ぎ装置である。このように本体部にＵ字状の係合部を設けることにより、靴の引っ掛かりが良好な、靴脱ぎ装置を提供することができる。また、本体部を基部によって傾斜させることにより、靴のかかと部分を引っ掛けることができるので、靴のかかと部分と、係合部との接触が良好で、靴を脱ぐことを容易に行うことができる。
【００１０】
前記の課題を解決するため、本考案において、係合部は、本体係合部を皮革で被覆し、その間に緩衝部を配置し、前記皮革を複数の鋲で本体部に固定したことを特徴とする靴脱ぎ装置である。
【００１１】
係合部を皮革で構成したことから靴に当接する係合部が柔軟となりこれと当接する靴のうち特に革靴において傷が付くことが少なくなる。靴のうち革靴は主に牛革で構成され、その靴に使用される牛革は比較的丈夫なものが多いいが、本考案によるこの靴脱ぎ装置において使用する皮革は比較的柔軟性を有するものであるので、靴に傷が付く恐れは少ない。尚、この皮革は鋲で固定する。鋲で固定することにより、長年使用しても本体部から皮革がはがれることはなく、また、美感も有するものである。また、緩衝材を配置することにより、靴のかかと部分に対するあたりを柔軟にしている。
【００１２】
また、前記の課題を解決するため、本考案において、Ｕ字状の係合部に、ギャザーを設けることを特徴とする靴脱ぎ装置である。
【００１３】
靴との係合部にギャザーを設けることにより靴のかかと部分の引っ掛かりを良好にしたものである。なお、このギャザーとは、皮革部分を寄せ集めで皺状あるいは襞状にしたものであり、皺が浅くても、靴のかかと部分の引っ掛かりが良好である。
【００１４】
また、靴脱ぎ装置に支柱を取り付けたことを特徴とする支柱付靴脱ぎ装置である。靴脱ぎ装置に支柱が付されているので使用する際にこの支柱を持って体を支えることができ、壁に捕まることなく靴を脱ぐことができる、従って、壁のない場所においても、よろけることなく、靴を脱ぐことができる。
【００１５】
また、靴脱ぎ装置に２つの支柱を取り付けたことを特徴とする支柱付靴脱ぎ装置である。靴脱ぎ装置に２つの支柱を取り付けたことを特徴とする支柱が付された靴脱ぎ装置である。このように支柱が２つ取り付けられているので、両手でそれぞれの支柱を握ることができるので、体勢を保持しやすく、壁のない場所においても、よろけることなく、靴を脱ぐことができる。
【考案の効果】
【００１６】
本考案は以上のように構成され、かつ、作用するものであるから、靴のかかとのひっかかりがよく、また、靴のかかと部分に傷をつけることのない、靴脱ぎ装置を提供することができる。また、壁のない場所においても、よろけることなく、靴を脱ぐことができる。
【考案を実施するための最良の形態】
【００１７】
図１において、Ａは靴脱ぎ装置および支柱付靴脱ぎ装置の斜視図であり、Ｂは、靴脱ぎ装置を裏から見た斜視図である。図２において、Ａは、靴脱ぎ装置の平面拡大図。Ｂは、ＡのＢ−Ｂ線断面図。Ｃは、ＡのＣ−Ｃ線断面図である。図３は靴脱ぎ装置の側面図である。図４において、Ａは第１実施例の支柱付靴脱ぎ装置の正面図、Ｂは、支柱付靴脱ぎ装置の側面図である。図５において、Ａは第２実施例の他の支柱付靴脱ぎ装置の正面図、Ｂは、第３実施例の支柱付靴脱ぎ装置の側面図である。図６において、Ａは、靴脱ぎ装置の裏面図、Ｂは第１実施例の支柱付靴脱ぎ装置の裏面図、Ｃは第２実施例の支柱付靴脱ぎ装置の裏面図である。
【００１８】
靴脱ぎ装置１０は、本体部２０と基部３０を有している。本体部２０は、略矩形状の板状を呈し、前記本体部２０における凹状の平面視Ｕ字状を呈する本体係合部２０ａにおいて、皮革２１で被覆した係合部２２を有している。本体部２０は主に木製であり間伐材を使用することが好ましく特にヒノキ材が好ましい。係合部２２において、特に靴のかかと部分が当接する箇所すなわち、平面視Ｕ字状の底に相当する部分にギャザー２３を設けている。なお、ギャザーとは皮革２１を、引き寄せて皺あるいは襞が生じるようにしたものである。もっとも皺あるいは襞における凸凹の大小の程度は問わない。
【００１９】
皮革２１と本体係合部２０ａとの間に緩衝部２４を配置している。特に本体係合部２０ａは、皮革２１を通じて靴のかかと部分が当接する部分であり、靴のかかと部分に傷をつけないようにするために、この本体係合部２０ａを覆うように緩衝部２４を配置することが好ましい。この場合緩衝部２４として柔軟性を有する素材が好ましいことから、特にウレタン材が好ましいがこれに限られることはない。また、緩衝部２４は、係合部２２の内側の全体ではなく、係合部２２の内側であってその一部に配置したものであっても好ましい。
【００２０】
平面視Ｕ字状を呈している係合部２２は上記のとおり、本体係合部２０ａに緩衝部２４配置して皮革２１で被覆したものであるが、この皮革２１は、牛革、馬革、羊革、人工皮革類が使用され、とくに、牛革が好ましい。またこの皮革２１を固定する方法として、接着剤を使用することができるが、複数の鋲２５で固定することができる。特に鋲２５は、真鍮素材からなるものが好ましく本実施例では、本体部２０の上面部２０ｂと側面部２０ｃにおいて、複数の鋲２５で固定している。もっとも裏面部２０ｆにおいては、鋲２５で固定することもできるが、ピンで固定することもできる。
【００２１】
このように本体係合部２０ａを皮革２１で被覆した係合部２２を有しているが、皮革２１で被覆する際に、皮革２１を引き寄せて皺状あるいは襞状にするギャザー２３を設けている。すなわち、 靴を脱ぐ際にこの靴のかかと部分を、ギャザー２３に当接することで、適度な摩擦力によって、靴を脱ぐ際の引っ掛かりを良好にするとともに、皮革２１の柔軟性及び緩衝部２４の柔軟性と相まって靴のかかと部分に傷をつけないという効果を奏するものである。
【００２２】
特に本体部２０の本体係合部２０ａと上面部２０ｂとがなす角部２０ｄの角度が、ほぼ８０度となり、後述する基部３０により本体部２０が傾斜している状態において、本体係合部２０ａはほぼ垂直上方になるように配置されるので、靴のかかと部分の引っ掛かりが良好となる。もっとも角部２０ｄの角度を８０度以下にしても好ましい。また先端角部２０ｅの角度も同様にほぼ８０度以下になるように加工することが好ましい。
【００２３】
靴置部２６は、例えば、左の靴を脱ぐ際に、左の靴のかかと部分を上記係合部２２に当接し、右の靴でこの靴置部２６を踏むことにより靴脱ぎ装置１０を動かないようにするためのものであり、靴置部２６は本体部２０に皮革を貼ったものである。この皮革は上記の皮革２１と同様に、牛革、馬革、羊革、人工皮革類が使用されるが、牛革が好ましい。また、靴置部２６は本体部２０の上面部２０ｂから裏面部２０ｆに渡って配置されている。従って、靴置部２６の一部が床面と接触するため、靴脱ぎ装置１０を床に配置したときに滑りにくいものとなる。このように、係合部２２は、本体部２０の一方に配置され、靴置部２６は本体部２０の他方に配置されている。
【００２４】
基部３０は、本体部２０の裏面部２０ｆにねじ３６で固定されている。基部３０は、変形のほぼ柱状であり、基部３０と裏面部２０ｆとの接地部３１と、床との接地部３２ａ、３２ｂとのなす面が平行ではなく、傾いている。従って、基部３０を本体部２０の裏面部２０ｆに固定すると、本体部２０が床面に対して傾斜した状態を呈することになる（図３参照）。この傾斜する角度は、鋭角が好ましくより好ましくは、１０度が好ましいが１１度であってもよい。よって、側部３３ａ、側部３３ｂの寸法を、靴のかかと部分が係合部２２に良好に当接するように本体部２０を傾斜させるべく構成することができる。
【００２５】
基部３０における溝部３４は後述する支柱５０を配置するためのものであり、支柱５０を接続するための柱基部５２を配置するのに十分な大きさを有している。溝部３４に配置された６個のボルト穴３５のうち、３個のボルト穴３５で前記柱基部５２におけるボルト孔５３をボルト５５で固定する。もっとも、そのボルト穴３５は、本体部２０の裏面部２０ｆに固定するために前記ねじ３６を挿入するボルト穴と共通である。
【００２６】
支柱５０は支柱本体５１と柱基部５２を有し、前記のとおり、柱基部５２は基部３０と接続することができる。支柱本体５１の床面と接する部分には、滑り止め５４を配置している。これはゴムが好ましい。支柱本体５１と柱基部５２はそれぞれ金属性が好ましく、アルミ材が好ましく、特にステンレス材が好ましい。また、支柱本体５１の上端部５１ａに、把持部６０を取り付けることができる。把持部６０の下部にねじ部６０ａを設け、支柱本体５１の上端部５１ａに設けられためねじ部５１ｂとねじ止めしている。把持部６０は木製が好ましく、曲面を有し、握りやすい形状を有している。このように構成することにより支柱付靴脱ぎ装置１１を構成することができる。
【００２７】
また、靴脱ぎ装置１０における基部３０に支柱５０を、１つ取り付ける場合のほか２つ取り付けることができる。この場合、取り付ける支柱５０、５０は同一のものであり、それぞれ把持部６０、６０を取り付けることができる。このように構成することにより、支柱付靴脱ぎ装置１２を構成することができる。また、把持部６０、６０のほかに、取っ手部７０を取り付けることができる。取っ手部７０も木製であり、取っ手部７０の両端にはボルト孔７０ａ、７０ａが設けられている。よって、取っ手部７０を、支柱５０、５０の上端５０ａ、５０ａにおいて渡すように連結してボルト７１、７１で固定する。このように構成することにより支柱付靴脱ぎ装置１３を構成することができる。
【００２８】
靴脱ぎ装置１０における基部３０に支柱５０を、１つ固定する場合は、溝部３４に配置されている６個のボルト孔のうち３個のボルト孔３５′、３５′、３５′、に例えば一方の支柱５０の柱基部５２のボルト孔５３、５３、５３を合わせ、それぞれボルト５５、５５、５５で固定する（図６Ｂ参照）。もう一つの支柱５０を固定する場合は、さらに他の支柱５０を、溝部３４に配置されている他の３個のボルト孔３５″、３５″、３５″に他方の支柱５０の柱基部５２のボルト孔５３、５３、５３を合わせ、それぞれボルト５５、５５、５５で固定する（図６Ｃ参照）。
【００２９】
このように、靴脱ぎ装置１０を単独で使用することもでき、また靴脱ぎ装置１０に前記、支柱５０を一つ取り付け、それに把持部６０を配置して使用する場合における支柱付靴脱ぎ装置１１あるいは、前記、支柱５０を２つ取り付けつけそれに把持部６０、６０を配置して使用する支柱付靴脱ぎ装置１２、あるいはその把持部６０、６０のかわりに取っ手部７０を取り付けた支柱付靴脱ぎ装置１３使用することができる。
【００３０】
靴脱ぎ装置１０を単独で使用する場合は、例えば靴を履いたままの状態において、一方の靴のかかと部分を係合部２２にあてがいつつ他方の靴を履いたままの状態の足で靴置部２６を踏んで、当該靴脱ぎ装置１０を固定し、係合部２２にあてがった前記一方の靴を押し上げつつその靴を脱ぐ。その後他方の靴を係合部２２にあてがってその他方の靴を脱ぐ。この場合、本体係合部２０ａと上面部２０ｂとがなす角部２０ｄの角度が鋭角であり、また、皮革２１を引き寄せて皺状にするギャザー２３を有するので、靴を引っ掛けやすく、更に緩衝部２４の柔軟性も相まって、特に靴のかかと部分に傷をつける恐れの少ない靴脱ぎ装置１０を提供することができる。
【００３１】
靴脱ぎ装置１０に支柱５０と把持部６０を取り付けた第１実施例の支柱付靴脱ぎ装置１１の場合はこの把持部６０を手で持ちつつ、一方の靴のかかと部分を係合部２２に係合させて靴を脱ぐ場合においては、他方の足で靴置部２６を踏んで当該靴脱ぎ装置１０を固定する必要が無いために、比較的体の安定を保ちやすく、壁等に手をかける必要が無い。従って、壁のない場所においても体の安定を保ちつつ、支柱付靴脱ぎ装置１１を使用することができる。よって、靴販売店のような場所において壁から離れている場所に設置することができるので、置き場を選ぶことがない。
【００３２】
また、靴脱ぎ装置１０に２つの支柱５０、５０を取り付け更にそれぞれの支柱５０、５０の把持部６０、６０を取り付けた第２実施例の支柱付靴脱ぎ装置１２あるいは取っ手部７０を取り付けた第３実施例の支柱付靴脱ぎ装置１３においては、この把持部６０、６０を両手で、あるいは取っ手部７０を両手で持てばより体を支えつつ靴を脱ぐことができる。従って、第１実施例と同様に靴販売店のような場所において壁から離れている場所に設置することができるので、置き場を選ぶことがない。
【図面の簡単な説明】
【００３３】
【図１】Ａは靴脱ぎ装置および支柱付靴脱ぎ装置の斜視図。Ｂは、靴脱ぎ装置を裏から見た斜視図。
【図２】Ａは、靴脱ぎ装置の平面拡大図。Ｂは、ＡのＢ−Ｂ線断面図。Ｃは、ＡのＣ−Ｃ線断面図。
【図３】靴脱ぎ装置の側面図
【図４】Ａは第１実施例の支柱付靴脱ぎ装置の正面図。Ｂは、支柱付靴脱ぎ装置の側面図。
【図５】Ａは第２実施例の他の支柱付靴脱ぎ装置の正面図。Ｂは、第３実施例の支柱付靴脱ぎ装置の側面図。
【図６】Ａは、靴脱ぎ装置の裏面図。Ｂは第１実施例の支柱付靴脱ぎ装置の裏面図。Ｃは第１実施例の支柱付靴脱ぎ装置の裏面図。
【符号の説明】
【００３４】
１０、靴脱ぎ装置
１１、第１実施例の支柱付靴脱ぎ装置
１２、第２実施例の支柱付靴脱ぎ装置
１３、第３実施例の支柱付靴脱ぎ装置
２０、本体部
２０ａ、本体係合部
２１、皮革
２２、係合部
２３、ギャザー
２４、緩衝部
２５、鋲
２６、靴置部
３０、基部
５０、支柱
５１、支柱本体、
５２、柱基部
６０、把持部
７０、取っ手部
【図１】
0003189167.tif 000003
【図２】
0003189167.tif 000004
【図３】
0003189167.tif 000005
【図４】
0003189167.tif 000006
【図５】
0003189167.tif 000007
【図６】
0003189167.tif 000008